(57)【要約】【課題】  自動的に視聴エリアを検出等することが可能なディジタル放送受信装置を提供する。【解決手段】  国内全ての視聴エリアと各視聴エリアに対応する放送局とのデータで形成された全局データテーブルＭＥＭ1を記憶するデータベース部１５と、受信の制御を行う制御部１４とを備え、制御部１４がシーク動作又はスキャン動作による受信を行って、放送局から放送に含めて送信されてくる、視聴エリアに対応する地域識別データを取得し、データベース部１５に記憶されている視聴エリアのデータを地域識別データによって検索することにより、ディジタル放送受信装置１０の位置する視聴エリアを判定して、視聴エリアの設定を行う。【選択図】    図２
2006080790.tif 000002
【特許請求の範囲】
【請求項１】
地上ディジタル放送の視聴エリアを設定するディジタル放送受信装置であって、
視聴エリアのデータを記憶するデータベース手段と、
放送局から放送に含めて送信されてくる、前記視聴エリアに対応する地域識別データを取得し、前記データベース手段に記憶されている前記視聴エリアのデータを前記地域識別データによって検索することにより、ディジタル放送受信装置の位置する視聴エリアを判定して、視聴エリアの設定を行う制御手段と、
を具備することを特徴とするディジタル放送受信装置。
【請求項２】
前記制御手段は、前記地上ディジタル放送の伝送帯域において同調周波数を変化させるシーク動作によって到来する放送を受信し、受信品質の良好な放送局の放送を受信したときに、前記視聴エリアに対応する地域識別データを取得することを特徴とする請求項１に記載のディジタル放送受信装置。
【請求項３】
前記制御手段は、前記地上ディジタル放送の伝送帯域において同調周波数を変化させるスキャン動作によって到来する放送を受信し、受信品質の良好な放送局の放送を受信したときに、前記視聴エリアに対応する地域識別データを取得することを特徴とする請求項１に記載のディジタル放送受信装置。
【請求項４】
前記制御手段は、前記データベース手段に記憶されている前記視聴エリアのデータを前記地域識別データによって検索した結果、複数の異なる視聴エリアのデータを取得すると、最大多数の視聴エリアのデータに基づいてディジタル放送受信装置の位置する視聴エリアを判定することを特徴とする請求項３に記載のディジタル放送受信装置。
【請求項５】
前記制御手段は、前記データベース手段に記憶されている前記視聴エリアのデータを前記地域識別データによって検索した結果、複数の異なる視聴エリアのデータを取得すると、受信品質の最も良好な放送局の放送を受信したときの地域識別データに対応する視聴エリアのデータに基づいてディジタル放送受信装置の位置する視聴エリアを判定することを特徴とする請求項４に記載のディジタル放送受信装置。
【発明の詳細な説明】
【技術分野】
【０００１】
本発明は、地上ディジタル放送を受信する受信装置に関し、特に視聴エリアを自動的に検出等するディジタル放送受信装置に関する。
【背景技術】
【０００２】
近年、新たな放送メディアとして地上ディジタル放送が開始されている。この地上ディジタル放送では、伝送方式にＯＦＤＭ（Orthogonal Frequency Division Multiplexing）方式が採用されており、放送番組の内容である映像データや音声データその他各種サービス情報データ等を、１チャンネル当たりの伝送帯域に複数個割り当てられたセグメントに多重化させて放送局側から送信することにより、受信装置側のユーザに対して、多様な放送番組を提供することを可能にしている。
【０００３】
そして、地上ディジタル放送を受信する従来のディジタル放送受信装置では、ユーザが、その受信装置に設けられている所定の操作ボタンや、リモコン装置に設けられている所定の操作ボタンをオン操作して、視聴エリア内の放送局のチャンネルを例えば１番から１２番の符号が付けられているチャンネル選択ボタンに割り当てるための操作をしておくと、その後は、受信装置やリモコン装置に設けられているそれらチャンネル選択ボタンを選択的にオン操作するだけで、視聴エリア内の所望の放送局の番組を簡単に視聴することができるようになっている。
【０００４】
なお、視聴エリアとは、放送局のアンテナから出力される放送電波を受信し得る地域範囲のことであり、受信可能エリア或いはサービスエリア等とも称されており、広く公表されているものである。
【０００５】
また、地上ディジタル放送では、災害発生や予報等に関する緊急情報を各放送局から送信することで、ユーザ等の安全性の確保を図ることとしている。そして、この緊急情報を受信装置側で受信できるようにするために、ユーザが受信装置やリモコン装置に設けられている所定の操作ボタンを操作して、視聴エリアを入力しておくようになっている。
【０００６】
図１（ａ）は、従来の一般的なディジタル放送受信装置の構成を表したブロック図、図１（ｂ）は、チャンネル選択ボタンに視聴エリア内の放送局のチャンネルを割り当てる際の操作方法及び、上述の緊急情報を受信できるようにするための操作方法を表した模式図である。
【０００７】
図１（ａ）において、従来の一般的なディジタル放送受信装置は、受信アンテナ１が接続されたフロントエンド／復調部２と、デコーダ部３、制御部４、データベース部５、チャンネル選択ボタン９が設けられた操作部６とを有して構成されている。そして、フロントエンド／復調部２が同調受信及び復調処理等を行うことでトランスポートストリーム（MPEG-2 systemsに準拠したトランスポートストリーム）ＴＳを生成すると共に、デコーダ部３がトランスポートストリームＴＳを映像データＳvdと音声データＳau等に復号し、ディスプレイ７とスピーカ８に供給して番組を再生させる。
【０００８】
ここで、ユーザが次に述べる操作を行うと、視聴エリアの設定とその視聴エリア内の放送局のチャンネルをチャンネル選択ボタン９に割り当てたり、既に設定してある視聴エリアとチャンネル選択ボタン９の割り当てを変更することが可能となっている。
【０００９】
すなわち、ユーザが操作部６に設けられている所定の操作ボタン（図示略）をオン操作すると、制御部４が、データベース部５に記憶されている全国内の視聴エリアと放送局とを示すデータをディスプレイ７に供給し、画面上に所謂メニューを表示させる。これにより、ディスプレイ７には、図１（ｂ）に示すような全国内の視聴エリアと各々の視聴エリア内に存在する放送局とが表示される。
【００１０】
かかるメニュー表示に対してユーザが操作部６を操作して、カーソル（ポインタとも称されている）によって特定の視聴エリアを指定すると、制御部４が指定された視聴エリアを示すデータとその視聴エリア内の放送局を示すデータとを関連付けたチャンネル選択用データテーブルを作成してデータベース部５に記憶させる。
【００１１】
例えば、ユーザが、在住している「埼玉県Ｃエリア」をカーソルによって指定した後、引き続きカーソルを移動させてディスプレイ７に表示されている各放送局を指定し、１番から１２番の符号が付けられているチャンネル選択ボタン９を適宜にオン操作する処理を繰り返して、設定完了の操作を行うと、制御部４は、かかるユーザの各操作に応じて、「埼玉県Ｃエリア」のデータと、「埼玉県Ｃエリア」に属している放送局（Ｃ１テレビ、Ｃ２テレビ等）のデータをデータベース部５から取得し、図２（ｄ）に示すような視聴エリアと放送局とチャンネル選択ボタンとを関連付けたチャンネル選択用データテーブルを作成して記憶させる。
【００１２】
ユーザが以上の操作を行うと、その後、１番から１２番のチャンネル選択ボタン９を選択的にオン操作するだけで、制御部４がオン操作されたチャンネル選択ボタン９に対応する放送局をチャンネル選択用データテーブルから検索し、フロントエンド／復調部２に対してその放送局の放送を同調受信させるべく所謂局発信号の周波数を調整する。このため、上述のチャンネル選択用データテーブルを作成させるための操作を行った後は、ユーザにとって簡単に選局操作を行うことができるようになっている。
【００１３】
また、ユーザがチャンネル選択用データテーブルを作成させるための操作を行うと、視聴エリアが設定されることとなるため、その視聴エリア内の放送局から送られてくる緊急情報をフロントエンド／復調部２及びデコーダ部３等が受信できるようになる。このため、従来のディジタル放送受信装置は、チャンネル選択用データテーブルが作成されることを前提として、緊急情報をユーザに提供することが可能となっている。
【発明の開示】
【発明が解決しようとする課題】
【００１４】
ところで、上記従来のディジタル放送受信装置では、ユーザが所望の放送局の番組を視聴したり緊急情報を受信できるようにするためには、視聴エリアを自ら手操作で設定する必要であることから、必ずしも操作性が良いとはいえなかった。
【００１５】
すなわち、従来のディジタル放送受信装置を内蔵したデジタルラジオやディジタルテレビジョンセットを新規に購入したユーザが、操作に慣れていない初期の段階で、視聴エリアを自ら設定することには困難性が伴う場合があり、必ずしも操作性が良いとはいえなかった。
【００１６】
更に、自動車等の移動体に搭載されるディジタル放送受信装置や、携帯型のディジタル放送受信装置の場合、ユーザが移動するのに伴って良好な受信品質の得られる視聴エリアが変化することとなる。このため、視聴エリアが変わる毎に、ユーザは新たに視聴エリアを設定し直さなければならず、不便となっていた。
【００１７】
特に、移動中では、ユーザは受信品質が低下したことに気付いたとしても、どの視聴エリアに移動したのかを把握することは一般に難しいため、試行錯誤で新たな視聴エリアを再設定しなければならなくなる等の問題があった。
【００１８】
本発明は、このような従来の問題点に鑑みてなされたものであり、自動的に視聴エリアを検出等することが可能なディジタル放送受信装置を提供することを目的とする。
【課題を解決するための手段】
【００１９】
請求項１に記載の発明は、地上ディジタル放送の視聴エリアを設定するディジタル放送受信装置であって、視聴エリアのデータを記憶するデータベース手段と、放送局から放送に含めて送信されてくる、前記視聴エリアに対応する地域識別データを取得し、前記データベース手段に記憶されている前記視聴エリアのデータを前記地域識別データによって検索することにより、ディジタル放送受信装置の位置する視聴エリアを判定して、視聴エリアの設定を行う制御手段と、を具備することを特徴とする。
【発明を実施するための最良の形態】
【００２０】
本発明の実施形態について、図２を参照して説明する。同図（ａ）は、本実施形態のディジタル放送受信装置の構成を表したブロック図、同図（ｂ）は、地上デジタル放送によって送信されているサービス情報の形態を表した模式図、同図（ｃ）（ｄ）は、視聴エリアの検出原理を説明するための図である。
【００２１】
図２（ａ）において、本ディジタル放送受信装置（以下、単に「受信装置」と称する）１０は、受信アンテナ１１が接続されたフロントエンド／復調部１２と、デコーダ部１３、制御部１４、半導体メモリ等で形成されたデータベース部１５、操作部１６を有して構成されている。
【００２２】
フロントエンド／復調部１２は、制御部１４からの選局制御信号Ｓcの指示に従って、受信すべき放送チャンネルに同調し、受信アンテナ１１から出力されるＲＦ信号を中間周波数のＩＦ信号に周波数変換して復調処理等を行うことにより、ＭＰＧ-２ systemsに準拠したトランスポートストリームＴＳを生成して出力する。
【００２３】
デコーダ部１３は、トランスポートストリームＴＳに対して所定の音声符号化方式（ＭＰＥＧ-２ Audio）と映像符号化方式（ＭＰＥＧ-２ Video）に準拠した復号を行うことによって、放送番組の内容である音声データＳauと映像データＳvdを再生し、図示しないディスプレイやスピーカ側へ出力する。また、デコーダ部１３は、トランスポートストリームＴＳに含めて各放送局から送られてくるＡＲＩＢ規格に準拠しているサービス情報（ＳＩ：Service Information）も復号し、その復号したサービス情報データＤsを制御部１４に供給する。
【００２４】
制御部１４は、マイクロプロセッサ（ＭＰＵ）等を有して形成されており、該マイクロプロセッサが、内蔵している所定のシステムプログラムを実行することにより、受信放送検出部１４aと視聴エリア判定部１４bとの機能を発揮する。
【００２５】
更に、制御部１４には、データベース部１５と操作部１６が接続されている。そして、データベース部１５には、国内全ての視聴エリアと各視聴エリア内に属している放送局との各データが関連付けられたルックアップテーブルの形態から成る全局データテーブルＭＥＭ１が記憶されており、操作部１６には、ユーザが所望の操作入力を行うためのチャンネル選局ボタンや制御操作ボタン等が設けられている。
【００２６】
次に、かかる構成を有する受信装置１０の動作について、図２（ｂ）〜（ｄ）を参照して説明する。なお、ユーザが視聴エリアを新規に設定するために操作部１６を操作した場合や、既に設定されている視聴エリアを更新（再設定）するために操作部１６を操作した場合の動作について説明する。
【００２７】
ユーザから視聴エリアを新規設定又は再設定すべき指示がなされると、制御部１４は、選局制御信号Ｓcをフロントエンド／復調部１２に供給することによって、受信可能な放送チャンネルを検出するための所謂シーク動作を行わせる。
【００２８】
すなわち、受信品質の良好な放送を受信することとなるまで、フロントエンド／復調部１２が制御部１４の制御下で局発信号の周波数（すなわち同調周波数）を各放送チャンネルに合わせて変化させていき、受信品質が良好となったときにデコーダ部１３から出力されるサービス情報データＤsを、受信放送検出部１４aが入力する。そして、受信放送検出部１４aがサービス情報データＤsを入力した時点で、制御部１４がシーク動作を停止させる。
【００２９】
こうして受信放送検出部１４aがサービス情報データＤsを入力すると、次に、視聴エリア判定部１４bが、そのサービス情報データＤsに含まれている地域識別データ（実際に放送電波を出している中継局の所在する地域を示すＡＲＩＢ規格に準拠したデータ）を抽出すると共に、データベース部１５をアクセスして、その地域識別データに対応する視聴エリアを全局データテーブルＭＥＭ1から検索する。
【００３０】
すなわち、放送局から送られてくるサービス情報データＤsには、図２（ｂ）に示すように、サービス識別と呼ばれる１６ビット構成のセクションデータが含まれている。視聴エリア判定部１４bが、このセクションデータの上位６ビット（ｂ15〜ｂ10）で形成されている地域識別データを抽出して、全局データテーブルＭＥＭ1を検索することにより、地域識別データに対応する視聴エリアを判定する。つまり、視聴エリア判定部１４bは、良好な受信品質が得られたときに生成されたサービス情報データＤs中の地域識別データに基づいて全局データテーブルＭＥＭ1を検索し、地域識別データに対応する視聴エリアを検索することができたと判断すると、その判断した視聴エリア内に受信装置１０が位置していると判定する。
【００３１】
そして、視聴エリア判定部１４bが視聴エリアを判定すると、制御部１４がその視聴エリアと視聴エリア内に存在している放送局のデータとを全局データテーブルＭＥＭ1から読み出し、その読み出したデータに基づいてチャンネル選択用データテーブルＭＥＭ2を作成してデータベース部１５に記憶させる。更に、チャンネル選択用データテーブルＭＥＭ2にて記憶されることとなった各放送局のチャンネルと、操作部１６に設けられている各チャンネル選択ボタンとの対応付けを行うことで、図２（ｄ）に示すように、視聴エリアと放送局とチャンネル選択ボタンとを関連付けた最終的なチャンネル選択用データテーブルＭＥＭ2を作成して記憶させる。
【００３２】
例えば、上述のシーク動作を行った結果、図２（ｃ）に示されている放送局（Ｃ１テレビ）からの放送を受信した場合、視聴エリア判定部１４bは、そのＣ１テレビから放送されたサービス情報データＤs中の地域識別データに基づいて全局データテーブルＭＥＭ1を検索することにより、「埼玉県Ｃエリア」が視聴エリアであると判定し、図２（ｄ）に示すような「埼玉県Ｃエリア」と、各々の放送局（Ｃ１テレビ、Ｃ２テレビ等）と、各々のチャンネル選択ボタンとを関連付けたチャンネル選択用データテーブルＭＥＭ2を作成してデータベース部１５に記憶させる。
【００３３】
そして、ユーザが適宜にチャンネル選択ボタンをオン操作すると、制御部１４がオン操作されたチャンネル選択ボタンに対応する放送局をチャンネル選択用データテーブルＭＥＭ2から検索し、フロントエンド／復調部１２に対してその放送局の放送を同調受信させるべく局発信号の周波数を調整する。このため、チャンネル選択用データテーブルＭＥＭ2が作成された後は、ユーザにとって簡単に選局操作を行うことができるようになっている。
【００３４】
また、チャンネル選択用データテーブルＭＥＭ2が作成されると、そのチャンネル選択用データテーブルＭＥＭ2にて設定された視聴エリア内の放送局から送られてくる緊急情報をフロントエンド／復調部２及びデコーダ部３等が受信するようになるため、有用な緊急情報をユーザに提供することができる。
【００３５】
以上に説明したように、本実施形態の受信装置１０によれば、ユーザから視聴エリアを新規設定又は再設定すべき指示がなされるだけで、自動的に受信品質の良好な放送を受信すると共に、その受信した放送に含まれているサービス情報データＤsに基づいてデータベース部１５内に記憶されている全局データテーブルＭＥＭ1を検索することで、受信装置１０が位置している視聴エリアを検索及び判定するので、ユーザに対して優れた操作性、利便性を提供することができる。
【００３６】
更に、本実施形態の受信装置１０が自動車等の移動体に搭載される場合や、携帯型受信装置として適用される場合には、優れた操作性等を提供することができる。特に、本受信装置１０は、ユーザが移動中の視聴エリアを知得しているか否かを問わず自動的に視聴エリアを設定するので、自動車を運転中のユーザに対して、利便性や操作性の向上みならず安全性の確保を提供することができるという優れた効果を発揮する。
【００３７】
また、本実施形態の受信装置１０は、放送局から提示された地域識別データ（図２（ｂ）参照）に基づいて全局データテーブルＭＥＭ1を検索して視聴エリアを判定するので、極めて高い精度で視聴エリアを判定、設定することができる。
【００３８】
なお、以上の実施形態の説明では、フロントエンド／復調部１２が同調周波数を変化さて、最初に良好な受信品質が得られた時点でシーク動作を終了することとしているが、地上ディジタル放送の全伝送帯域に亘ってスキャン動作を行い、視聴エリア判定部１４bが、良好な受信品質の得られた１又は複数の放送によって送られてきた１又は複数のサービス情報データＤs中の各々の地域識別データに基づいて、全局データテーブルＭＥＭ1を検索することで、受信装置１０の位置している視聴エリアを検索及び判定するようにしてもよい。
【００３９】
また、当該スキャン動作を行う場合において、視聴エリア判定部１４bが複数のサービス情報データＤs中の各々の地域識別データに基づいて全局データテーブルＭＥＭ1を検索した結果、全て同じ視聴エリアを検索でなかった場合、最も多く検索された視聴エリアを真の視聴エリアとして判定するようにしてもよい。かかる判定方法を適用すると、例えば相互に隣接関係にある視聴エリアの境界地域をユーザが移動中であったような場合に、より良好な受信品質の得られる視聴エリアを判定することができ、ユーザに対して所謂高品位の放送を受信して提供することが可能となる。
【００４０】
また、本実施形態の受信装置１０は、地上ディジタル放送のうちのテレビ放送だけ又はラジオ放送だけを受信するいわゆる用途が限定された専用受信装置としての適用のみならず、テレビ放送及びラジオ放送の両者を受信する受信装置等
としての適用も可能である。
【実施例】
【００４１】
次に、より具体的な実施例について、図３ないし図５を参照して説明する。図３は、本実施例のディジタル放送受信装置の構成を表したブロック図であり、図２（ａ）と同一又は相当する部分を同一符号で示している。図４及び図５は、本実施例のディジタル放送受信装置の動作を説明するためのフローチャートである。
【００４２】
図３において、本実施例の受信装置（ディジタル放送受信装置）１０の構成を図２（ａ）に示した受信装置と対比して説明すると、フロントエンド／復調部１２は、ＲＦ部１２aと、周波数変換部１２b、局部発振器１２c、ＩＦアンプ１２d、Ａ／Ｄ変換器１２e、復調部１２f、デマルチプレクサ１２gを有して構成されている。
【００４３】
そして、受信アンテナ１１に生じる高周波の受信信号をＲＦ部１２aが増幅し、周波数変換部１２bがその増幅された受信信号と局部発振器１２cから供給される局発信号ＬＯと混合することによる周波数変換によって中間周波数のＩＦ信号を生成し、ＩＦアンプ１２dがＩＦ信号の所定周波数帯域成分だけを帯域制限して出力し、Ａ／Ｄ変換器１２eがその帯域制限されたＩＦ信号をディジタルデータにアナログデジタル変換し、復調部１２fがディジタルデータに対して同期処理、ＦＦＴ、復調処理等の各処理を行うことで復調データを生成し、デマルチプレクサ１２gが復調データを音声と映像のトランスポートストリームＴＳ等に分離して出力する。
【００４４】
そして、デコーダ部１３が、音声トランスポートストリームに対して音声符号化方式（ＭＰＥＧ-２ Audio）準拠した復号を行うことによって音声データＳauを再生すると共に、映像トランスポートストリームに対して映像符号化方式（ＭＰＥＧ-２ Video）に準拠した復号を行うことによって映像データＳvdを再生して出力する。また、デコーダ部１３は、トランスポートストリームＴＳに含めて各放送局から送られてくるＡＲＩＢ規格に準拠しているサービス情報（ＳＩ：Service Information）も復号し、その復号したサービス情報データＤsを制御部１４に供給する。
【００４５】
制御部１４は、内蔵されているマイクロプロセッサ（ＭＰＵ）が所定のシステムプログラムを実行することによって発揮する受信放送検出部１４aと視聴エリア判定部１４bを有すると共に、データベース部１５と操作部１６が接続されている。
【００４６】
更に、制御部１４は、復調部１２fが上述の復調処理を行う際に検出するビットエラーレート（Bit Error Rate）のデータＢＥＲをデマルチプレクサ１２gを通じて入力し、受信品質の良否を判断する。
【００４７】
また、制御部１４は、局部発振器１２cに供給する選局制御信号Ｓcによって、受信すべき放送局のチャンネルを指定し、同調周波となる局発信号ＬＯを発生させる。
【００４８】
データベース部１５には、図２（ｃ）に示したのと同様の全局データテーブルＭＥＭ１が記憶されており、操作部１６には、ユーザが所望の操作入力を行うためのチャンネル選局ボタンや制御操作ボタン等が設けられている。
【００４９】
次に、かかる構成を有する受信装置１０の動作について、図４と図５を参照して説明する。なお、図４は、受信装置１０がシーク動作を行って視聴エリアを検出等する際の動作を示したフローチャート、図５は、受信装置１０がスキャン動作を行って視聴エリアを検出等する際の動作を示したフローチャートである。
【００５０】
以下、シーク動作を行う場合とスキャン動作を行う場合とに項わけして説明することとする。
〈シーク動作を行って視聴エリアを検出等する際の動作〉
図４において、ユーザからの操作入力によって、シーク動作を行って視聴エリアの設定を行うべく指示がなされると、制御部１４がシーク動作の制御を開始する。まず、ステップＳ１００において、選局制御信号Ｓcによってデフォルトの周波数（既定周波数）を同調周波数とすべく局部発振器１２cに指令し、その既定周波数の放送チャンネルを最初の対象として、受信を開始する。
【００５１】
次に、ステップＳ１０１において、復調部１２fから出力されるビットエラーレートのデータＢＥＲを制御部１４が入力し、受信品質の良否を判定するための基準値として予め決められている閾値ＴＨＤとデータＢＥＲの値とを比較する。そして、データＢＥＲの値が閾値ＴＨＤより小さければ、受信品質が良好であるとする第１の判定を行って、ステップＳ１０２へ移行する。
【００５２】
次に、ステップＳ１０２では、制御部１４内の受信放送検出部１４aが、デコーダ部１３から出力されるサービス情報データＤsを入力し、そのサービス情報データＤsにデータ欠損等の大きなデータ誤りが存在しているか否か調べる。そして、大きなデータ誤りが無い場合には、受信品質が良好であるとする第２の判定を行って、ステップＳ１０３へ移行する。
【００５３】
すなわち、ステップＳ１０２では、受信放送検出部１４aは、上述の第１の判定と第２の判定との２つの判定条件を満たした場合に、受信品質が良好で、サービス情報データＤsを信頼できると判断する。
【００５４】
一方、上述のステップＳ１０１においてデータＢＥＲの値が閾値ＴＨＤより大きい場合、又は、ステップＳ１０２においてサービス情報データＤsにデータ誤りが存在していた場合には、ステップＳ１０４に移行し、制御部１４が選局制御信号Ｓcによって局部発振器１２cを制御することにより、局発信号ＬＯの同調周波数を次のチャンネルの周波数に変化させ、ステップＳ１０１からの処理を繰り返す。したがって、受信品質の良好な放送を受信することとなるまで、ステップＳ１０４において同調周波数を変化させる処理が行われ、受信品質の良好な放送を受信することとなると、ステップＳ１０３に移行する。
【００５５】
ステップＳ１０３では、制御部１４がシーク動作を終了する。更に、視聴エリア判定部１４bが、サービス情報データＤs中に含まれている地域識別データを抽出してデータベース部１５内の全局データテーブルＭＥＭ1を検索する。そして、地域識別データに対応している視聴エリアのデータを取得すると共に、その視聴エリアに属している（関連付けられている）放送局のデータを取得する。
【００５６】
次に、ステップＳ１０４において、視聴エリア判定部１４bが引き続いて、チャンネル選局用データテーブルＭＥＭ2を作成する。つまり、図２（ｄ）に示したように、取得した視聴エリアのデータと、その視聴エリア内の放送局のデータと、各放送局と操作部１６に設けられているチャンネル選局ボタンとを対応付けるデータとから成るチャンネル選局用データテーブルＭＥＭ2を作成し、データベース部１５に記憶させ、視聴エリアを設定するための動作を終了する。
【００５７】
そして、チャンネル選局用データテーブルＭＥＭ2の作成後、ユーザが所望のチャンネル選局ボタンをオン操作すると、制御部１４がチャンネル選局用データテーブルＭＥＭ2を検索することで、指定された放送局を検出し、その放送局のチャンネルに合わせるべく局部発振器１２cの局発信号ＬＯの同調周波数を調整させる。
〈スキャン動作を行って視聴エリアを検出等する際の動作〉
図５において、ユーザからの操作入力によって、スキャン動作を行って視聴エリアの設定を行うべく指示がなされると、制御部１４がスキャン動作の制御を開始する。まず、ステップＳ２００において、選局制御信号Ｓcによってデフォルトの周波数（既定周波数）を同調周波数とすべく局部発振器１２cに指令し、その既定周波数の放送チャンネルを最初の対象として、受信を開始する。
【００５８】
次に、ステップＳ２０１において、復調部１２fから出力されるビットエラーレートのデータＢＥＲを制御部１４が入力し、受信品質の良否を判定するための基準値として予め決められている閾値ＴＨＤとデータＢＥＲの値とを比較する。そして、データＢＥＲの値が閾値ＴＨＤより小さければ、受信品質が良好であるとする第１の判定を行って、ステップＳ２０２へ移行する。
【００５９】
次に、ステップＳ２０２では、制御部１４内の受信放送検出部１４aが、デコーダ部１３から出力されるサービス情報データＤsを入力し、そのサービス情報データＤsにデータ欠損等の大きなデータ誤りが存在しているか否か調べる。そして、大きなデータ誤りが無い場合には、受信品質が良好であるとする第２の判定を行って、ステップＳ２０３へ移行する。
【００６０】
一方、上述のステップＳ２０１においてデータＢＥＲの値が閾値ＴＨＤより大きい場合、又は、ステップＳ２０２においてサービス情報データＤsにデータ誤りが存在していた場合には、ステップＳ２０４に移行し、制御部１４が選局制御信号Ｓcによって局部発振器１２cを制御することにより、局発信号ＬＯの同調周波数を次のチャンネルの周波数に変化させ、ステップＳ２０１からの処理を繰り返す。したがって、受信品質の良好な放送を受信することとなるまで、ステップＳ２０４において同調周波数を変化させる処理が行われ、受信品質の良好な放送を受信することとなると、ステップＳ２０３に移行する。
【００６１】
ステップＳ２０３では、受信放送検出部１４aが、上述の第１，第２の判定条件を満足しているサービス情報データＤsを一時的にデータベース部１５に記憶させる。
【００６２】
次に、ステップＳ２０４では、制御部１４が、地上波ディジタル放送の全伝送帯域についてスキャンを行ったか否かの判断を行い、未だであればステップＳ２０４における同調周波数の変更を行って、ステップＳ２０１からの処理を繰り返す。一方、全伝送帯域についてスキャンを行ったと判断すると、ステップＳ２０６へ移行する。
【００６３】
ステップＳ２０６では、制御部１４がスキャン動作を終了する。更に、視聴エリア判定部１４bが、上述のステップＳ２０３において一時的に記憶された全てのサービス情報データＤsを取得し、各々のサービス情報データＤs中に含まれている全ての地域識別データを抽出する。そして、データベース部１５内の全局データテーブルＭＥＭ1を検索することにより、抽出した全ての地域識別データに対応している視聴エリアのデータを取得する。そして更に、視聴エリアのデータが同じではなく、異なった複数の視聴エリアのデータであった場合には、最も多い視聴エリアのデータだけに決める。そして、最大多数の視聴エリアに属している（関連付けられている）放送局のデータを全局データテーブルＭＥＭ1から取得する。
【００６４】
次に、ステップＳ２０７において、視聴エリア判定部１４bが引き続いて、チャンネル選局用データテーブルＭＥＭ2を作成する。つまり、最大多数の視聴エリアのデータと、その視聴エリア内の放送局のデータと、各放送局と操作部１６に設けられているチャンネル選局ボタンとを対応付けるデータとから成るチャンネル選局用データテーブルＭＥＭ2を作成し、データベース部１５に記憶させ、視聴エリアを設定するための動作を終了する。
【００６５】
そして、チャンネル選局用データテーブルＭＥＭ2の作成後、ユーザが所望のチャンネル選局ボタンをオン操作すると、制御部１４がチャンネル選局用データテーブルＭＥＭ2を検索することで、指定された放送局を検出し、その放送局のチャンネルに合わせるべく局部発振器１２cの局発信号ＬＯの同調周波数を調整させる。
【００６６】
以上説明したように、本実施例の受信装置１０によれば、ユーザからの所謂ワンタッチ操作による指示がなされるだけで、自動的に受信品質の良好な放送を受信すると共に、その受信した放送に含まれているサービス情報データＤsに基づいてデータベース部１５内に記憶されている全局データテーブルＭＥＭ1を検索することで、受信装置１０が位置している視聴エリアを検索及び判定するので、ユーザに対して優れた操作性、利便性を提供することができる。特に、自動車等の移動体に搭載される場合には、運転者の安全性確保等を図ることができ、また、携帯型受信装置として適用される場合には、視聴エリアの情報を知らなくとも、簡単に視聴エリアを自動的に設定することができる。
【００６７】
なお、上述した〈スキャン動作を行って視聴エリアを検出等する際の動作〉において、ステップＳ２０６，Ｓ２０７で最大多数の視聴エリアを決定してチャンネル選局データテーブルＭＥＭ2を作成することとしたが、他の方法で視聴エリアを決定するようにしてもよい。すなわち、ステップＳ２０３でサービス情報データＤsをデータベース部１５に一次的に記憶させる際、ビットエラーレートのデータＢＥＲも対応付けて記憶させておき、ステップＳ２０６において視聴エリアを決定する際に、最も良好な受信品質を示すビットエラーレートのデータＢＥＲに対応しているサービス情報データＤs中の地域識別データに基づいて検索された視聴エリアを所謂最適エリアとして決定してもよい。
【００６８】
また、このビットエラーレートのデータＢＥＲに基づいて最適エリアとしての視聴エリアを決定する方法と、最大多数の視聴エリアを最適エリアとして決定する方法との何れか一方をユーザに選択操作させるようにしてもよい。
【００６９】
また、以上説明した本実施例の受信装置１０では、シーク動作によって自動的に視聴エリアを設定する所謂処理モードと、スキャン動作によって自動的に視聴エリアを設定する所謂処理モードとを備えており、ユーザが選択的に一方の処理モードを選択操作することができるが、何れか一方の処理モードだけを備える構成としてもよい。
【図面の簡単な説明】
【００７０】
【図１】従来のディジタル放送受信装置の構成及び機能を説明するための図である。
【図２】本発明の実施形態に係るディジタル放送受信装置の構成、機能、動作を説明するための図である。
【図３】より具体的な実施例に係るディジタル放送受信装置の構成を表したブロック図である。
【図４】図３に示したディジタル放送受信装置の動作を説明するためのフローチャートである。
【図５】更に図３に示したディジタル放送受信装置の動作を説明するためのフローチャートである。
【符号の説明】
【００７１】
１０…ディジタル放送受信装置
１４…制御部
１５…データベース部
【図１】
2006080790.tif 000003
【図２】
2006080790.tif 000004
【図３】
2006080790.tif 000005
【図４】
2006080790.tif 000006
【図５】
2006080790.tif 000007